(57)【要約】【課題】、コンパクトかつ軽量でありながら、確実にチューブを閉塞することができるクランプを提供する。【解決手段】天上部（３）と中央部（２Ａ）と底部（２）とから構成され、前記天上部（３）は、下方に向けて挟持部（５ａ）を突設し、前記中央部（２Ａ）は、略中央に前記挟持部（５ａ）が通過可能な孔（９ａ、９ａ´）を形成し、後方に後方壁（１１）を形成し、前記底部（２）は、略中央に前記挟持部（５ａ）とともにチューブ（Ｔ）を挟持するための挟持部（５ｂ）を形成し、前記天上部（３）下面と前記中央部（２Ａ）上面の間に、上下に伸縮可能に形成したバネ部（４）を配置し、前記挟持部（５ａ）の周囲に第一係止部（６ａ、６ｃ）と第二係止部（６ｂ、６ｄ）を形成し、当該係止部（６ａ、６ｂ、６ｃ、６ｄ）が、前記中央部（２Ａ）ないし後方壁（１１）に係止できるように形成したクランプ（１）。【選択図】図１
0003120279.tif 000002
【実用新案登録請求の範囲】
【請求項１】
天上部（３）と中央部（２Ａ）と底部（２）とから構成され、
前記天上部（３）は、下方に向けて挟持部（５ａ）を突設し、
前記中央部（２Ａ）は、略中央に前記挟持部（５ａ）が通過可能な孔（９ａ、９ａ´）を形成し、後方に後方壁（１１）を形成し、
前記底部（２）は、略中央に前記挟持部（５ａ）とともにチューブ（Ｔ）を挟持するための挟持部（５ｂ）を形成し、
前記天上部（３）下面と前記中央部（２Ａ）上面の間に、上下に伸縮可能に形成したバネ部（４）を配置し、
前記挟持部（５ａ）の周囲に第一係止部（６ａ、６ｃ）と第二係止部（６ｂ、６ｄ）を形成し、
当該係止部（６ａ、６ｂ、６ｃ、６ｄ）が、前記中央部（２Ａ）ないし後方壁（１１）に係止できるように形成した、ことを特徴するクランプ（１）。
【請求項２】
（Ａ）前記挟持部（５ａ）の前面に第一係止部（６ａ）、後面に第二係止部（６ｂ）を形成し、
当該第一係止部（６ａ）と第二係止部（６ｂ）は、それぞれ異なる高さの位置に配置し、
または（Ｂ）前記挟持部（５ａ）の左右側面にそれぞれ第一係止部（６ｃ）と第２係止部（６ｄ）を形成し、当該第一係止部（６ｃ）と第２係止部（６ｄ）はそれぞれ実質的に同じ高さの位置に配置した、ことを特徴とする請求項１に記載のクランプ（１）。
【請求項３】
前記底部（２）は、両側に側壁（１２）を略垂直方向に立ち上げて、当該側壁（１２）を介して、天面に中央壁（２Ｂ）を配置し、
当該中央壁（２Ｂ）は、略中央に前記挟持部（５ａ）が通過可能な孔（９ｂ）を形成した、ことを特徴とする請求項１ないし請求項２に記載のクランプ（１）。
【請求項４】
前記中央部（２Ａ）と前記底部（２）は、少なくとも後方壁（１１）を介して連結され、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記中央部（２Ａ）、前記中央壁（２Ｂ）、前記後方壁（１１）及び底部（２）の囲まれる空間に、チューブ（Ｔ）を着脱できる空間（Ｓ）を形成し、当該空間（Ｓ）内に、チューブ（Ｔ）の保持部（８）を配置した、ことを特徴とする請求項１ないし請求項３に記載のクランプ（１）。
【請求項５】
前記中央部（２Ａ）下面及び／又は前記中央壁（２Ｂ）上面に保持部（８）を、一箇所ないし複数箇所形成し、チューブ（Ｔ）を着脱できるようにした、ことを特徴とする請求項１ないし請求項４に記載のクランプ（１）。
【請求項６】
天上部（３）と中央部（２Ａ）と底部（２）とから構成され、
前記天上部（３）は、下方に向けて挟持部（５ａ）を突設し、当該挟持部（５ａ）の周囲に第一係止部（６ａ、６ｃ）と第二係止部（６ｂ、６ｄ）を形成し、
前記中央部（２Ａ）は、略中央に前記挟持部（５ａ）が通過可能な孔（９ａ、９ａ´）を形成し、後方に後方壁（１１）を形成し、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記底部（２）は、略中央に前記挟持部（５ａ）とともにチューブ（Ｔ）を挟持するための挟持部（５ｂ）を形成し、両側に側壁（１２）を略垂直方向に立ち上げて、当該側壁（１２）を介して、天面に中央壁（２Ｂ）を配置し、当該中央壁（２Ｂ）は、略中央に前記挟持部（５ａ）が通過可能な孔（９ｂ）を形成し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に保持部（８）を、一箇所ないし複数箇所形成して、チューブ（Ｔ）を着脱できるようにし、
前記天上部（３）を下方に押したとき、前記挟持部（５ａ）が、中央部（２Ａ）の孔（９ａ、９ａ´）、中央壁（２Ｂ）の孔（９ｂ）を経て、チューブ（Ｔ）を押し潰して液体流路を閉塞し、挟持部（５ａ）の前記係止部（６ａ、６ｂ、６ｃ、６ｄ）が、それぞれ係止部（７ａ、７ｂ）に係止することで、チューブ（Ｔ）の閉塞状態を維持できるようにした、ことを特徴とするクランプ（１）。
【請求項７】
請求項１ないし請求項６に記載のクランプ（１）を装着したことを特徴とする医療用具。
【考案の詳細な説明】
【技術分野】
【０００１】
本考案は、透析用血液回路、高カロリー輸液バッグ、輸血・輸液セット等の医療用具を構成する液体移送チューブの途中に配置されるクランプの改良に関し、特に一度閉じると二度と開かないクランプに関する。
【背景技術】
【０００２】
医療現場において透析用血液回路、高カロリー輸液バッグ、輸血・輸液セット等に用いられる液体移送チューブを、必要に応じて閉塞させる際、従来からクランプが使用されている。
特に高カロリー輸液バッグなどで輸液を調剤したあと、調剤用のチューブを閉止させる必要がある。この際、閉止部材として用いられるクランプは、液の流れを完全に遮断し、かつ一度閉じたら二度と開かないといった機能が必要である。
【０００３】
前述に用いる、一度閉じると二度と開かない構造のクランプの一つとして、特許文献１のようなクランプが考案されている。
特許文献１のクランプ１は、図２に例示されるように、ヒンジ部４を介して本体２と封止部材３が一体に形成されている。また封止部材３は、複数の嵌合突起部６と嵌合溝部７が一体に形成され、さらにチューブ１３の装着溝１１と保持部材１２が一体に形成される。本体２は外縁部の一端に、前記封止部材１０３の係合突起部１０６と係合溝１０７と対向する位置に嵌合溝部９と嵌合突起部１０が一体に形成されている。
クランプ１は、当該クランプの内側から、前記嵌合突起部６、１０が前記嵌合溝部７、９に、深く嵌合することで、一度嵌合すると二度と外れない構造となっている。
またクランプ１は切欠部１４によって保持部材１２をチューブ１３に装着することができ、また必要に応じてチューブ１３の間をスライドさせることもできる。さらに、クランプ１はチューブに装着できるために、片手で簡単に操作することも可能である。
【０００４】
また特許文献２にも、一度係合させると特殊工具を用いない限り外れることのないチューブクランプＣが開示されている。特許文献２のクランプＣは、図１に例示されるように、ヒンジ３を介して第１基板１と第２基板２が一体に形成されている。第１基板１には爪５が形成され、第２基板２に係合部７が形成され、当該クランプＣの外側から形成されている。
第１基板１と第２基板２を閉じる際、爪５が係止部７に当たって腕部１８がたわんで若干後退し、係止部７が係止面２１に引っかかることで腕部１８が再びもとの位置に戻るため、一度完全に係合すると二度と外れない構造になっている。
【０００５】
特許文献１と、特許文献２のクランプは、双方とも二個の箱型構造（本体２と封止部材３、第１基板１と第２基板２）を有し、上述のような構造により確実なチューブ閉塞はできるものの、特許文献１と、特許文献２のクランプのようにチューブ上に配置するクランプが大きいと、特に使用前などにはクランプにチューブが絡まったりして邪魔になる可能性がある。
【特許文献１】実公平６−２８１３６号公報（図２）
【特許文献２】実開平２−１０８５３号公報（図１）
【考案の開示】
【考案が解決しようとする課題】
【０００６】
特許文献１と、特許文献２のクランプは、双方とも二個の箱型構造（本体２と封止部材３、第１基板１と第２基板２）で、一度閉じたら二度と開かないように、確実にチューブが閉塞できる構造にしているので、クランプ自体がどうしても大型化してしまう点である。
【課題を解決するための手段】
【０００７】
扱いが容易で、誰にでも確実にクランプできるとともに、形状がコンパクトであり、使用前からチューブなどに引っかけておいても、他の作業の邪魔にならず、極めて使い勝手のよいクランプを提供する。
［１］本考案は、天上部（３）と中央部（２Ａ）と底部（２）とから構成され、
前記天上部（３）は、下方に向けて挟持部（５ａ）を突設し、
前記中央部（２Ａ）は、略中央に前記挟持部（５ａ）が通過可能な孔（９ａ、９ａ´）を形成し、後方に後方壁（１１）を形成し、
前記底部（２）は、略中央に前記挟持部（５ａ）とともにチューブ（Ｔ）を挟持するための挟持部（５ｂ）を形成し、
前記天上部（３）下面と前記中央部（２Ａ）上面の間に、上下に伸縮可能に形成したバネ部（４）を配置し、
前記挟持部（５ａ）の周囲に第一係止部（６ａ、６ｃ）と第二係止部（６ｂ、６ｄ）を形成し、
当該係止部（６ａ、６ｂ、６ｃ、６ｄ）が、前記中央部（２Ａ）ないし後方壁（１１）に係止できるように形成したクランプ（１）を提供する。
［２］本考案は、（Ａ）前記挟持部（５ａ）の前面に第一係止部（６ａ）、後面に第二係止部（６ｂ）を形成し、
当該第一係止部（６ａ）と第二係止部（６ｂ）は、それぞれ異なる高さの位置に配置し、
または（Ｂ）前記挟持部（５ａ）の左右側面にそれぞれ第一係止部（６ｃ）と第２係止部（６ｄ）を形成し、当該第一係止部（６ｃ）と第２係止部（６ｄ）はそれぞれ実質的に同じ高さの位置に配置した、［１］に記載のクランプ（１）を提供する。
［３］本考案は、前記底部（２）は、両側に側壁（１２）を略垂直方向に立ち上げて、当該側壁（１２）を介して、天面に中央壁（２Ｂ）を配置し、
当該中央壁（２Ｂ）は、略中央に前記挟持部（５ａ）が通過可能な孔（９ｂ）を形成した［１］ないし［２］に記載のクランプ（１）を提供する。
［４］本考案は、前記中央部（２Ａ）と前記底部（２）は、少なくとも後方壁（１１）を介して連結され、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記中央部（２Ａ）、前記中央壁（２Ｂ）、前記後方壁（１１）及び底部（２）の囲まれる空間に、チューブ（Ｔ）を着脱できる空間（Ｓ）を形成し、当該空間（Ｓ）内に、チューブ（Ｔ）の保持部（８）を配置した［１］ないし［３］に記載のクランプ（１）を提供する。
［５］本考案は、前記中央部（２Ａ）下面及び／又は前記中央壁（２Ｂ）上面に保持部（８）を、一箇所ないし複数箇所形成し、チューブ（Ｔ）を着脱できるようにした［１］ないし［４］に記載のクランプ（１）を提供する。
［６］本考案は、天上部（３）と中央部（２Ａ）と底部（２）とから構成され、
前記天上部（３）は、下方に向けて挟持部（５ａ）を突設し、当該挟持部（５ａ）の周囲に第一係止部（６ａ、６ｃ）と第二係止部（６ｂ、６ｄ）を形成し、
前記中央部（２Ａ）は、略中央に前記挟持部（５ａ）が通過可能な孔（９ａ、９ａ´）を形成し、後方に後方壁（１１）を形成し、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記底部（２）は、略中央に前記挟持部（５ａ）とともにチューブ（Ｔ）を挟持するための挟持部（５ｂ）を形成し、両側に側壁（１２）を略垂直方向に立ち上げて、当該側壁（１２）を介して、天面に中央壁（２Ｂ）を配置し、当該中央壁（２Ｂ）は、略中央に前記挟持部（５ａ）が通過可能な孔（９ｂ）を形成し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に保持部（８）を、一箇所ないし複数箇所形成して、チューブ（Ｔ）を着脱できるようにし、
前記天上部（３）を下方に押したとき、前記挟持部（５ａ）が、中央部（２Ａ）の孔（９ａ、９ａ´）、中央壁（２Ｂ）の孔（９ｂ）を経て、チューブ（Ｔ）を押し潰して液体流路を閉塞し、挟持部（５ａ）の前記係止部（６ａ、６ｂ、６ｃ、６ｄ）が、それぞれ係止部（７ａ、７ｂ）に係止することで、チューブ（Ｔ）の閉塞状態を維持できるようにしたクランプ（１）を提供する。
［７］本考案は、［１］ないし［６］に記載のクランプ（１）を装着した医療用具を提供する。
【考案の効果】
【０００８】
本考案のクランプ１は、少なくとも天上部３、中央部２Ａ及び底部２を、一度閉じたら二度と開かないように、確実にチューブが閉塞できる構造にしているので、コンパクトかつ軽量でありながら、確実にチューブを閉塞することができる等の効果を有するものである。
【考案を実施するための最良の形態】
【０００９】
図１（Ａ）は本考案のクランプ１の正面図、（Ｂ）は右側面図、（Ｃ）は背面図、（Ｄ）は天面図、（Ｅ）は底面図であり、図２（Ａ）は図１（Ａ）のクランプ前のａ−ａ´断面図、（Ｂ）は図１（Ａ）のクランプ（押圧）したときのａ−ａ´断面図である。また、図３（Ａ）は図１（Ｃ）のクランプ（押圧）前のｂ−ｂ´断面図、（Ｂ）は図１（Ｃ）のクランプ（押圧）前のｃ−ｃ´断面図、図４（Ａ）は本考案のクランプ１のチューブ閉止前の概略図、（Ｂ）はチューブ閉止時の概略図、図５は、本考案のその他の実施例を示す概略図（（Ａ）クランプ１のチューブ閉止前、（Ｂ）中央部２Ａのその他の一例、（Ｃ）クランプ１のチューブ閉止時）である。
［クランプ１の概要］
図１に例示するように本考案のクランプ１は、天上部３と中央部２Ａと底部２とから構成される。これらは上から下方向に向けて、天上部３、中央部２Ａ、底部２の順で配置されている。本考案のクランプ１は、ポリプロピレン、ポリアセタール等の硬質ないし半硬質で、可撓性（弾性）を有する合成樹脂を用いて一体に成形される。
【００１０】
［天上部３］
天上部３は、図１（Ａ）から（Ｄ）に例示するように、略板状（略矩形状）に形成され、その下面に下方に向けて挟持部５ａを突設している。
挟持部５ａは、略板状（略矩形状）で、先細りテーバー状に形成されている。挟持部５ａの前面には、二個の第一係止部６ａと、後面には二個の第二係止部６ｂが形成されている。当該係止部６ａ、６ｂは、突状（山型、略三角形等でも良い）に形成され、中央部２Ａないし後方壁１１に係止できるように形成されている。
第一係止部６ａと第二係止部６ｂは、好ましくは、図１（Ｂ）に例示するように挟持部５ａの前面と後面にやや段違いの位置に配置される。「やや段違い」とは、図１（Ｂ）に例示するように、挟持部５ａの高さＤに対して、第一係止部６ａは挟持部５ａの先端から約２／３Ｄ、第二係止部６ｂは約１／３Ｄのように、高さを変えて配置するという意味である。したがって、図１に例示したものに限定されない。
第一係止部６ａと第二係止部６ｂは、同一の高さでは二つの係止部６ａ、６ｂが一度に係止することになり、一度に二つの係止部６ａ、６分のまとまった負荷がかかってしまう。段違いに配置することで、係止時には第一係止部６ａと第二係止部６ｂ順次、一つずつ係止されるので、同一の高さに配置するよりも、スムーズに係止することができる。
天上部３の上面には、図１（Ｄ）のように押圧の際の指のすべり防止に、複数の溝１０が形成されている。溝１０は図１（Ｄ）では長さ方向に対して垂直に形成されているが、要するにすべり防止の効果が得られる形状であればよく、特に限定しない。
【００１１】
［バネ部４］
バネ部４は、図１（Ａ）、（Ｃ）に例示するように、天上部３下面と中央部２Ａ上面の間に二本（二箇所）配置され、天上部３と中央部を接続している。
二本のバネ部４は、中央部２Ａ上面から上方に伸び、「く」の字状に折れ曲がった先端上部に天上部３が接続されている。バネ部４の屈曲部Ｃ及び接続部Ｊは、図１（Ａ）（Ｃ）のようにやや肉薄に形成することで、チューブ閉塞前（押圧前）は図１の形状を保ちながら、天上部３を下方に押圧するときにはバネ部４全体が折りたたみやすくなり、挟持部５ａで容易にチューブを押圧（閉塞）できる。
［中央部２Ａ］
中央部２Ａは、図１から図４に例示するように、略板状（略矩形状）に形成され、略中央に前記挟持部５ａが通過可能な孔９ａを形成し、後方に後方壁１１を形成している。後方壁１１は、図１（Ｃ）に例示するように、中央部２Ａと底部２を連結している。後方壁１１の下部に孔９ｃが形成されている。
また中央部２Ａは、前記第一係止部６ａに対応する係止部７ａを有し、後方壁１１は、前記第二係止部６ｂに対応する係止部７ｂを有している。
図２（Ｂ）の例示では、「係止部７ａ」とは、中央部２Ａの前方下部（面）であり、「係止部７ｂ」とは、後方壁１１の下部（面）である。
第一係止部６ａと第二係止部６ｂは、中央部２Ａ、後方壁１１の下部（面）に係合するように例示しているが、中央部２Ａ、後方壁１１の下部（面）に溝（孔）を形成して、当該溝（孔）に係止部６ａ、係止部６ｂが係合するようにしても良い。
【００１２】
［底部２］
底部２は、図１（Ｃ）に例示するように、略板状（略矩形状）に形成され、略中央に、挟持部５ｂが形成されている。挟持部５ｂは、上方に凸形状に形成されている。この凸形状に形成した挟持部５ｂと、先細りテーパ状の挟持部５ａによって、チューブＴはより強固に挟持され、チューブＴの液体流路を確実に閉止することができる。挟持部５ｂは、前記挟持部５ａとともにチューブＴを挟持できる形状であれば何でも良い。
また底部２は、両側に側壁１２を略垂直方向に立ち上げて、当該側壁１２を介して、天面に中央壁２Ｂを配置している。当該中央壁２Ｂは、略板状（略矩形状）で、略中央に前記挟持部５ａが通過可能な孔９ｂを形成している。
また底部２の下面には、図１（Ｅ）に例示するように押圧の際の指のすべり防止に、複数の溝１０が形成されている。溝１０は図１（Ｅ）では長さ方向に対して垂直に形成されているが、要するにすべり防止の効果が得られる形状であればよく、特に限定しない。
【００１３】
［孔９ａ、９ｂ、９ｃ］
孔９ａは、図３（Ａ）に示すように、中央部２Ａの略中央部に形成されている。この孔９ａは、挟持部５ａ（の第一係止部６ａと第二係止部６ｂ）が通過しやすいように、上から下に向けて斜面ＳＬが形成されている。孔９ａの幅Ｗ９ａは、挟持部５ａが通過でき、かつ第一係止部６ａと第二係止部６ｂが、係止部７ａ及び係止部７ｂに確実に係止できるサイズである必要があるが、クランプ１を構成する材質に可撓性（弾性）があるので、幅Ｗ９ａが挟持部５ａの幅Ｗ５とほぼ同寸法か、若干の遊びを持たせる程度でよい（Ｗ９ａ≦Ｗ５）。
孔９ｂは、図３（Ｂ）のように、中央壁２Ｂの略中央部に形成されている。また、孔９ｂは、図４（Ｂ）のように、チューブＴを閉止する際、挟持部５ａと挟持部５ｂに挟持されたチューブＴを安定して保持するために、孔９ａよりも大きく形成される。大きく形成されることにより、この孔９ｂ内で左右にずれることなくチューブＴが閉止されることになり、チューブ内の流れの、確実な遮断が可能となる。
孔９ｃは、中央部２Ａの後方壁１１の下部に形成される。図２（Ｂ）に例示するように、天上部３を下方に押したときに係止部６ｂを係止するための係止溝の役目も果たす。
【００１４】
［空間Ｓ］
中央部２Ａ、前記中央壁２Ｂ、前記後方壁１１及び底部２の囲まれる空間の（チューブの）長さ方向に、チューブＴを着脱できる空間Ｓを形成し、当該空間Ｓ内に、チューブＴの保持部８を配置している。この構成によりクランプ１は、チューブＴにあらかじめ装着しておくこともできるし、必要に応じて使用直前に装着することもできる。
［保持部８］
中央部２Ａ下面及び／又は前記中央壁２Ｂ上面に突状の保持部８を、一箇所ないし複数箇所形成し、チューブＴを着脱できるようにしている。
図１（Ａ）（Ｂ）では、好適な一例として、保持部８は空間Ｓ内の、中央部２Ａの下面に一箇所と斜向かいに当たる中央壁２Ｂ上面に一箇所形成されているが、保持部８の形状、位置、個数とも、これに限定されることはなく、クランプ１をチューブＴに容易に装着でき、装着したあとは容易に外れたり移動したりしない構造であれば、何でも採用できる。
【００１５】
［使用例］
本考案のクランプ１は、天上部３を下方に押したとき、挟持部５ａが、中央部２Ａの孔９ａ、中央壁２Ｂの孔９ｂを経て、チューブＴを押し潰して液体流路を閉塞し、挟持部５ａの第一係止部６ａと第二係止部６ｂが、それぞれ係止部７ａ、７ｂに係止することで、チューブＴの閉塞状態の一例について詳述する。
（１）クランプ１の空間Ｓに、チューブＴの、閉塞の必要な部分を挟み込ませる。突起形状に形成した保持部８により、チューブは空間Ｓ内に安定して保持される。
（２）底部２の下面と天上部３上面を二本の指でつまんで、天上部３を下方に押すと、バネ部４の屈曲部Ｃと接続部Ｊが折れ曲がり、上下に縮む。同時に、天上部３から下方に形成されている挟持部５ａが中央部２Ａの孔９ａを通ってさらに中央壁２Ｂの孔９ｂへと挿入される。
（３）挿入された挟持部５ａは、底部２の上面に形成された挟持部５ｂとでチューブＴを挟み込み、さらに第一係止部６ａと第二係止部６ｂがそれぞれ係止部７ａ、７ｂに係止されて、チューブＴを閉止した状態となる。
挟持部５ａの第一係止部６ａと第二係止部６ｂが係止部７ａ、７ｂにかみ合う状態で係止されることで、クランプ１の閉止は二度と解除されることはない。
【００１６】
［本考案のクランプ１のその他の実施例］
本考案のクランプ１は、図５（Ａ）に例示するように、前記挟持部５ａの左右側面にそれぞれ第一係止部６ｃと第２係止部６ｄを形成し、当該第一係止部６ｃと第２係止部６ｄ（の係止面）は、それぞれ実質的に同じ高さの位置に配置（形成）しても良い。
中央部２Ａは、図５（Ｂ）に例示するように、略中央に前記挟持部５ａが通過可能な孔９ａ´を形成している。
また中央部２Ａは、前記係止部６ｃ、６ｄに対応する係止部７ａを有している。
図５（Ｂ）の例示では、「係止部７ａ」とは、孔９ａ´の両側に位置する中央部２Ａの下部（面）である。
チューブＴを閉塞するときには、中央部２Ａの孔９ａ´に挟持部５ａを挿入して、図５（Ｃ）のように各係止部６ｃ、６ｄを中央部２Ａの下面に係止させる。この場合は、挟持部５ａと挟持部５ｂがチューブＴを略垂直方向から閉塞できる。
係止部６ｃ、６ｄが、中央部２Ａの下面に確実に係止できるように、図５（Ｂ）に例示するように、孔９ａ´の横幅Ｈは挟持部５ａの横幅Ｈ５ａと同じか、わずかに大きい程度に形成するのが良い。チューブ閉塞時において、クランプ１を構成する材料が可撓性（弾性を有する）であることから、挟持部５ａは孔９ａ´を押し広げながら通過する。挟持部５ａの係止部６ｃ、６ｄが中央部２Ａの下面に係止すると、押し広げられた孔９ａ´は元の形状に戻ることで、係止部６ｃ、６ｄは再び外れることはない。
【図面の簡単な説明】
【００１７】
【図１】（Ａ）本考案のクランプ１の正面図、（Ｂ）側面図、（Ｃ）背面図、（Ｄ）天面図、（Ｅ）底面図
【図２】（Ａ）図１（Ａ）のクランプ前のａ−ａ´断面図、（Ｂ）図１（Ａ）のクランプしたときのａ−ａ´断面図
【図３】（Ａ）図１（Ｃ）のクランプ前のｂ−ｂ´断面図、（Ｂ）図１（Ｃ）のクランプ前のｃ−ｃ´断面図
【図４】（Ａ）本考案のクランプ１のチューブ閉止前の概略図、（Ｂ）チューブ閉止時の概略図
【図５】本考案のその他の実施例を示す概略図（（Ａ）クランプ１のチューブ閉止前、（Ｂ）中央部２Ａのその他の一例、（Ｃ）クランプ１のチューブ閉止時）
【符号の説明】
【００１８】
１  クランプ
２  底部
２Ａ  中央部
２Ｂ  中央壁
３  天上部
４  バネ部
５ａ、５ｂ  挟持部
６ａ、６ｃ  第一係止部
６ｂ、６ｄ  第二係止部
７ａ、７ｂ  係止部
８  保持部
９ａ、９ａ´、９ｂ、９ｃ  孔
１０  溝
１１後方壁
１２  側壁
Ｔ  チューブ
Ｃ  屈曲部
Ｊ  接続部
Ｓ  空間
ＳＬ  斜面
Ｄ  （係止部５ａの）高さ
Ｗ５  係止部５ａの幅
Ｗ９ａ  孔９ａの幅
Ｈ  孔９ａ´の横幅
Ｈ５ａ  挟持部５ａの横幅
【図１】
0003120279.tif 000003
【図２】
0003120279.tif 000004
【図３】
0003120279.tif 000005
【図４】
0003120279.tif 000006
【図５】
0003120279.tif 000007
【手続補正書】
【提出日】平成18年1月31日(2006.1.31)
【手続補正１】
【補正対象書類名】実用新案登録請求の範囲
【補正対象項目名】全文
【補正方法】変更
【補正の内容】
【実用新案登録請求の範囲】
【請求項１】
天上部（３）と中央部（２Ａ）と底部（２）とから構成され、
前記天上部（３）は、下方に向けて挟持部（５ａ）を突設し、
前記中央部（２Ａ）は、略中央に前記挟持部（５ａ）が通過可能な孔（９ａ、９ａ´）を形成し、後方に後方壁（１１）を形成し、
前記底部（２）は、略中央に前記挟持部（５ａ）とともにチューブ（Ｔ）を挟持するための挟持部（５ｂ）を形成し、
前記天上部（３）下面と前記中央部（２Ａ）上面の間に、上下に伸縮可能に形成したバネ部（４）を配置し、
前記挟持部（５ａ）の周囲に第一係止部（６ａ、６ｃ）と第二係止部（６ｂ、６ｄ）を形成し、
当該係止部（６ａ、６ｂ、６ｃ、６ｄ）が、前記中央部（２Ａ）ないし後方壁（１１）に係止できるように形成した、ことを特徴するクランプ（１）。
【請求項２】
（Ａ）前記挟持部（５ａ）の前面に第一係止部（６ａ）、後面に第二係止部（６ｂ）を形成し、
当該第一係止部（６ａ）と第二係止部（６ｂ）は、それぞれ異なる高さの位置に配置し、
または（Ｂ）前記挟持部（５ａ）の左右側面にそれぞれ第一係止部（６ｃ）と第２係止部（６ｄ）を形成し、当該第一係止部（６ｃ）と第２係止部（６ｄ）はそれぞれ実質的に同じ高さの位置に配置した、ことを特徴とする請求項１に記載のクランプ（１）。
【請求項３】
前記底部（２）は、両側に側壁（１２）を略垂直方向に立ち上げて、当該側壁（１２）を介して、天面に中央壁（２Ｂ）を配置し、
当該中央壁（２Ｂ）は、略中央に前記挟持部（５ａ）が通過可能な孔（９ｂ）を形成した、ことを特徴とする請求項１または請求項２に記載のクランプ（１）。
【請求項４】
前記中央部（２Ａ）と前記底部（２）は、少なくとも後方壁（１１）を介して連結され、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記中央部（２Ａ）、前記中央壁（２Ｂ）、前記後方壁（１１）及び底部（２）の囲まれる空間に、チューブ（Ｔ）を着脱できる空間（Ｓ）を形成し、当該空間（Ｓ）内に、チューブ（Ｔ）の保持部（８）を配置した、ことを特徴とする請求項１から請求項３のいずれか１項に記載のクランプ（１）。
【請求項５】
前記中央部（２Ａ）下面及び／又は前記中央壁（２Ｂ）上面に保持部（８）を、一箇所ないし複数箇所形成し、チューブ（Ｔ）を着脱できるようにした、ことを特徴とする請求項１から請求項４のいずれか１項に記載のクランプ（１）。
【請求項６】
天上部（３）と中央部（２Ａ）と底部（２）とから構成され、
前記天上部（３）は、下方に向けて挟持部（５ａ）を突設し、当該挟持部（５ａ）の周囲に第一係止部（６ａ、６ｃ）と第二係止部（６ｂ、６ｄ）を形成し、
前記中央部（２Ａ）は、略中央に前記挟持部（５ａ）が通過可能な孔（９ａ、９ａ´）を形成し、後方に後方壁（１１）を形成し、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記底部（２）は、略中央に前記挟持部（５ａ）とともにチューブ（Ｔ）を挟持するための挟持部（５ｂ）を形成し、両側に側壁（１２）を略垂直方向に立ち上げて、当該側壁（１２）を介して、天面に中央壁（２Ｂ）を配置し、当該中央壁（２Ｂ）は、略中央に前記挟持部（５ａ）が通過可能な孔（９ｂ）を形成し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に保持部（８）を、一箇所ないし複数箇所形成して、チューブ（Ｔ）を着脱できるようにし、
前記天上部（３）を下方に押したとき、前記挟持部（５ａ）が、中央部（２Ａ）の孔（９ａ、９ａ´）、中央壁（２Ｂ）の孔（９ｂ）を経て、チューブ（Ｔ）を押し潰して液体流路を閉塞し、挟持部（５ａ）の前記係止部（６ａ、６ｂ、６ｃ、６ｄ）が、それぞれ係止部（７ａ、７ｂ）に係止することで、チューブ（Ｔ）の閉塞状態を維持できるようにした、ことを特徴とするクランプ（１）。
【請求項７】
請求項１から請求項６のいずれか１項に記載のクランプ（１）を装着したことを特徴とする医療用具。
【手続補正２】
【補正対象書類名】明細書
【補正対象項目名】０００７
【補正方法】変更
【補正の内容】
【０００７】
扱いが容易で、誰にでも確実にクランプできるとともに、形状がコンパクトであり、使用前からチューブなどに引っかけておいても、他の作業の邪魔にならず、極めて使い勝手のよいクランプを提供する。
［１］本考案は、天上部（３）と中央部（２Ａ）と底部（２）とから構成され、
前記天上部（３）は、下方に向けて挟持部（５ａ）を突設し、
前記中央部（２Ａ）は、略中央に前記挟持部（５ａ）が通過可能な孔（９ａ、９ａ´）を形成し、後方に後方壁（１１）を形成し、
前記底部（２）は、略中央に前記挟持部（５ａ）とともにチューブ（Ｔ）を挟持するための挟持部（５ｂ）を形成し、
前記天上部（３）下面と前記中央部（２Ａ）上面の間に、上下に伸縮可能に形成したバネ部（４）を配置し、
前記挟持部（５ａ）の周囲に第一係止部（６ａ、６ｃ）と第二係止部（６ｂ、６ｄ）を形成し、
当該係止部（６ａ、６ｂ、６ｃ、６ｄ）が、前記中央部（２Ａ）ないし後方壁（１１）に係止できるように形成したクランプ（１）を提供する。
［２］本考案は、（Ａ）前記挟持部（５ａ）の前面に第一係止部（６ａ）、後面に第二係止部（６ｂ）を形成し、
当該第一係止部（６ａ）と第二係止部（６ｂ）は、それぞれ異なる高さの位置に配置し、
または（Ｂ）前記挟持部（５ａ）の左右側面にそれぞれ第一係止部（６ｃ）と第２係止部（６ｄ）を形成し、当該第一係止部（６ｃ）と第２係止部（６ｄ）はそれぞれ実質的に同じ高さの位置に配置した、［１］に記載のクランプ（１）を提供する。
［３］本考案は、前記底部（２）は、両側に側壁（１２）を略垂直方向に立ち上げて、当該側壁（１２）を介して、天面に中央壁（２Ｂ）を配置し、
当該中央壁（２Ｂ）は、略中央に前記挟持部（５ａ）が通過可能な孔（９ｂ）を形成した［１］または［２］に記載のクランプ（１）を提供する。
［４］本考案は、前記中央部（２Ａ）と前記底部（２）は、少なくとも後方壁（１１）を介して連結され、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記中央部（２Ａ）、前記中央壁（２Ｂ）、前記後方壁（１１）及び底部（２）の囲まれる空間に、チューブ（Ｔ）を着脱できる空間（Ｓ）を形成し、当該空間（Ｓ）内に、チューブ（Ｔ）の保持部（８）を配置した［１］から［３］のいずれか１項に記載のクランプ（１）を提供する。
［５］本考案は、前記中央部（２Ａ）下面及び／又は前記中央壁（２Ｂ）上面に保持部（８）を、一箇所ないし複数箇所形成し、チューブ（Ｔ）を着脱できるようにした［１］から［４］のいずれか１項に記載のクランプ（１）を提供する。
［６］本考案は、天上部（３）と中央部（２Ａ）と底部（２）とから構成され、
前記天上部（３）は、下方に向けて挟持部（５ａ）を突設し、当該挟持部（５ａ）の周囲に第一係止部（６ａ、６ｃ）と第二係止部（６ｂ、６ｄ）を形成し、
前記中央部（２Ａ）は、略中央に前記挟持部（５ａ）が通過可能な孔（９ａ、９ａ´）を形成し、後方に後方壁（１１）を形成し、
前記中央部（２Ａ）は、前記第一係止部（６ａ、６ｃ）と前記第二係止部（６ｄ）に対応する係止部（７ａ）を有し、前記後方壁（１１）は、前記第二係止部（６ｂ）に対応する係止部（７ｂ）を有し、
前記底部（２）は、略中央に前記挟持部（５ａ）とともにチューブ（Ｔ）を挟持するための挟持部（５ｂ）を形成し、両側に側壁（１２）を略垂直方向に立ち上げて、当該側壁（１２）を介して、天面に中央壁（２Ｂ）を配置し、当該中央壁（２Ｂ）は、略中央に前記挟持部（５ａ）が通過可能な孔（９ｂ）を形成し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に保持部（８）を、一箇所ないし複数箇所形成して、チューブ（Ｔ）を着脱できるようにし、
前記天上部（３）を下方に押したとき、前記挟持部（５ａ）が、中央部（２Ａ）の孔（９ａ、９ａ´）、中央壁（２Ｂ）の孔（９ｂ）を経て、チューブ（Ｔ）を押し潰して液体流路を閉塞し、挟持部（５ａ）の前記係止部（６ａ、６ｂ、６ｃ、６ｄ）が、それぞれ係止部（７ａ、７ｂ）に係止することで、チューブ（Ｔ）の閉塞状態を維持できるようにしたクランプ（１）を提供する。
［７］本考案は、［１］から［６］のいずれか１項に記載のクランプ（１）を装着した医療用具を提供する。